(57)【要約】【課題】  連続ＣＭ群を同一のＣＭチャンスに割り振る。【解決手段】  連続ＣＭ群に属するＣＭの時間割付情報に、そのＣＭが属する連続ＣＭ群を識別するための連続ＣＭ群識別情報及びそのＣＭの連続ＣＭ群内における順序を表す連続シーケンスを付し、全てのＣＭを連続ＣＭ群識別情報及び連続シーケンスに従って並べ替えて、連続ＣＭ群に属するＣＭの時間割付情報が連続ＣＭに属さないＣＭの時間割付情報よりも順位が高くなり、且つ、同一連続ＣＭ群内においては連続シーケンスに従ってＣＭの時間割付情報が順位付けられるようにし、順位の高い順からＣＭの時間割付情報を読み出し、同一の連続ＣＭ群識別情報が付された時間割付情報を集め、同一の連続ＣＭ群識別情報が付された時間割付情報全ての合計時間を連続ＣＭ群の合計時間として求め、各ＣＭチャンスの空き時間を連続ＣＭ群の合計時間と比較する。【選択図】        図２
2006279219.tif 000002
【特許請求の範囲】
【請求項１】
複数のＣＭチャンスのうちの何れかのＣＭチャンスに連続ＣＭ群を割り振るための連続ＣＭ群割振方法において、
前記連続ＣＭ群の合計時間と比較して、空き時間が同一かそれ以上であるＣＭチャンスがある場合には、それらのうちの何れかのＣＭチャンスに前記連続ＣＭ群を割り振る割振ステップを備えることを特徴とする連続ＣＭ群割振方法。
【請求項２】
請求項１に記載の連続ＣＭ群割振方法において、
連続ＣＭ群に属するＣＭを連続ＣＭ群に属しないＣＭよりも優先してＣＭチャンスに割り振ることを特徴とする連続ＣＭ群割振方法。
【請求項３】
請求項１に記載の連続ＣＭ群割振方法において、
前記割振ステップは、
連続ＣＭ群に属する複数のＣＭの合計時間を前記連続ＣＭ群の合計時間として求めるステップと、
各ＣＭチャンス毎に、そのＣＭチャンスの空き時間を前記連続ＣＭ群の合計時間と比較するステップと、
を備えることを特徴とする連続ＣＭ群割振方法。
【請求項４】
請求項１に記載の連続ＣＭ群割振方法において、
割り振られることが予定されているＣＭのうちの連続ＣＭ群に属するＣＭの時間割付情報に、そのＣＭが属する連続ＣＭ群を識別するための連続ＣＭ群識別情報及びそのＣＭの連続ＣＭ群内における順序を表す連続シーケンスを付すステップと、
割り振られることが予定されている全てのＣＭを前記連続ＣＭ群識別情報及び前記連続シーケンスに従って並べ替えることにより、連続ＣＭ群に属するＣＭの時間割付情報が連続ＣＭに属さないＣＭの時間割付情報よりも順位が高くなり、且つ、同一連続ＣＭ群内においては連続シーケンスに従ってＣＭの時間割付情報が順位付けられるようにするステップと、
順位の高い順から前記ＣＭの時間割付情報を読み出し、同一の連続ＣＭ群識別情報が付された時間割付情報を集めるステップと、
同一の連続ＣＭ群識別情報が付された時間割付情報全ての合計時間を前記連続ＣＭ群の合計時間として求めるステップと、
各ＣＭチャンス毎に、そのＣＭチャンスの空き時間を前記連続ＣＭ群の合計時間と比較するステップと、
を備えることを特徴とする連続ＣＭ群割振方法。
【請求項５】
請求項１に記載の連続ＣＭ群割振方法において、
前記割振ステップでは、前記連続ＣＭ群の合計時間と比較して、空き時間が同一かそれ以上であるＣＭチャンスのうちの空き時間が最大であるＣＭチャンスに前記連続ＣＭ群を割り振ることを特徴とする連続ＣＭ群割振方法。
【請求項６】
請求項５に記載の連続ＣＭ群割振方法において、
空き時間が最大であるＣＭチャンスが複数ある場合には、それらのうちＣＭチャンス識別情報が最小であるＣＭチャンスに前記連続ＣＭ群を割り振ることを特徴とする連続ＣＭ群割振方法。
【請求項７】
請求項１に記載の連続ＣＭ群割振方法において、
前記割振ステップでは、前記連続ＣＭ群の合計時間と比較して、空き時間が同一かそれ以上であるＣＭチャンスのうちのＣＭチャンス識別情報が最小であるＣＭチャンスに前記連続ＣＭ群を割り振ることを特徴とする連続ＣＭ群割振方法。
【請求項８】
請求項１に記載の連続ＣＭ群割振方法において、
複数のＣＭチャンスのうちの何れかのＣＭチャンスに連続ＣＭ群を割り振るための連続ＣＭ群割振方法において、
前記連続ＣＭ群の合計時間と比較して、空き時間が同一かそれ以上であるＣＭチャンスがない場合には、番組中最後のＣＭチャンスに前記連続ＣＭ群を割り振る割振ステップを備えることを特徴とする連続ＣＭ群割振方法。
【請求項９】
複数のＣＭチャンスのうちの何れかのＣＭチャンスに連続ＣＭ群を割り振るための連続ＣＭ群割振装置において、
前記連続ＣＭ群の合計時間と比較して、空き時間が同一かそれ以上であるＣＭチャンスがある場合には、それらのうちの何れかのＣＭチャンスに前記連続ＣＭ群を割り振る割振手段を備えることを特徴とする連続ＣＭ群割振装置。
【請求項１０】
請求項９に記載の連続ＣＭ群割振装置において、
連続ＣＭ群に属するＣＭを連続ＣＭ群に属しないＣＭよりも優先してＣＭチャンスに割り振ることを特徴とする連続ＣＭ群割振装置。
【請求項１１】
請求項９に記載の連続ＣＭ群割振装置において、
前記割振手段は、
連続ＣＭ群に属する複数のＣＭの合計時間を前記連続ＣＭ群の合計時間として求める手段と、
各ＣＭチャンス毎に、そのＣＭチャンスの空き時間を前記連続ＣＭ群の合計時間と比較する手段と、
を備えることを特徴とする連続ＣＭ群割振装置。
【請求項１２】
請求項９に記載の連続ＣＭ群割振装置において、
割り振られることが予定されているＣＭのうちの連続ＣＭ群に属するＣＭの時間割付情報に、そのＣＭが属する連続ＣＭ群を識別するための連続ＣＭ群識別情報及びそのＣＭの連続ＣＭ群内における順序を表す連続シーケンスを付す手段と、
割り振られることが予定されている全てのＣＭを前記連続ＣＭ群識別情報及び前記連続シーケンスに従って並べ替えることにより、連続ＣＭ群に属するＣＭの時間割付情報が連続ＣＭに属さないＣＭの時間割付情報よりも順位が高くなり、且つ、同一連続ＣＭ群内においては連続シーケンスに従ってＣＭの時間割付情報が順位付けられるようにする手段と、
順位の高い順から前記ＣＭの時間割付情報を読み出し、同一の連続ＣＭ群識別情報が付された時間割付情報を集める手段と、
同一の連続ＣＭ群識別情報が付された時間割付情報全ての合計時間を前記連続ＣＭ群の合計時間として求める手段と、
各ＣＭチャンス毎に、そのＣＭチャンスの空き時間を前記連続ＣＭ群の合計時間と比較する手段と、
を備えることを特徴とする連続ＣＭ群割振装置。
【請求項１３】
請求項９に記載の連続ＣＭ群割振装置において、
前記割振手段では、前記連続ＣＭ群の合計時間と比較して、空き時間が同一かそれ以上であるＣＭチャンスのうちの空き時間が最大であるＣＭチャンスに前記連続ＣＭ群を割り振ることを特徴とする連続ＣＭ群割振装置。
【請求項１４】
請求項１３に記載の連続ＣＭ群割振装置において、
空き時間が最大であるＣＭチャンスが複数ある場合には、それらのうちＣＭチャンス識別情報が最小であるＣＭチャンスに前記連続ＣＭ群を割り振ることを特徴とする連続ＣＭ群割振装置。
【請求項１５】
請求項９に記載の連続ＣＭ群割振装置において、
前記割振手段では、前記連続ＣＭ群の合計時間と比較して、空き時間が同一かそれ以上であるＣＭチャンスのうちのＣＭチャンス識別情報が最小であるＣＭチャンスに前記連続ＣＭ群を割り振ることを特徴とする連続ＣＭ群割振装置。
【請求項１６】
請求項９に記載の連続ＣＭ群割振装置において、
複数のＣＭチャンスのうちの何れかのＣＭチャンスに連続ＣＭ群を割り振るための連続ＣＭ群割振装置において、
前記連続ＣＭ群の合計時間と比較して、空き時間が同一かそれ以上であるＣＭチャンスがない場合には、番組中最後のＣＭチャンスに前記連続ＣＭ群を割り振る割振手段を備えることを特徴とする連続ＣＭ群割振装置。
【請求項１７】
請求項１乃至８の何れか１項に記載の連続ＣＭ群割振方法をコンピュータに行わせるためのプログラム。
【請求項１８】
請求項１７に記載のプログラムを記録した、コンピュータ読取り可能な記録媒体。
【発明の詳細な説明】
【技術分野】
【０００１】
本発明は、連続して放送されるべきＣＭ(Commercial message；コマーシャル・メッセージ；広告)より成る連続ＣＭ群をＣＭチャンスに割り振るための連続ＣＭ群割振方法及びその装置に関する。
【背景技術】
【０００２】
民間放送局におけるテレビ放送ではスポンサー企業のＣＭ放送が頻繁に行われている。このようなＣＭ放送の契約形態には、特定の番組内のみで流すもの（タイム契約という。）と、番組を特定せず流すもの（スポット契約という。）があり、本発明は後者を対象とするものである。通常、スポット契約のＣＭは営業業務の段階で、番組枠または番組と番組の間にあるＳＢ枠のうちどの枠に何秒間ＣＭを流すかを予約し（時間取という。）、放送業務の段階で、実際にその枠の中でどの順番にＣＭを流すかを決定する。
【０００３】
従来、番組内の複数のＣＭを、本編と本編の間にあるどのＣＭチャンスのどの位置に放送するかを自動的に決定する方法（以下、ＣＭ自動割り振りと呼ぶ）は既に実現されている。
【０００４】
特許文献１には、ＣＭを時間枠に割り当てる作業を助ける発明が記載されている。
【０００５】
特許文献２には、同一業種の異なった企業のＣＭが連続する場合に、警告を出力する発明が記載されている。
【０００６】
特許文献３には、放送時間帯、ジャンル、視聴率等を考慮してＣＭの割り付けを行う発明が記載されている。
【０００７】
特許文献４には、広告放送事業者が、広告を放送する際、放送時の情況（天気等）に適した広告を自動的に選択する発明が記載されている。
【特許文献１】特開平１−１９１５７８号公報
【特許文献２】特開２００３−３４８０３５号公報
【特許文献３】特開２００３−１７８２３０号公報
【特許文献４】特開２００２−０８４２４０号公報
【発明の開示】
【発明が解決しようとする課題】
【０００８】
しかしながら、スポンサーの異なる複数のＣＭを連続して放送したい場合、引き離されないよう制御する方法がなく、目視による決定を行う必要があり、工数および信頼性の点で問題があるという欠点があった。連続して放送したい複数のスポンサーのＣＭのことをコラボレーションＣＭという。
【０００９】
そこで、本発明は、連続ＣＭ群を同一のＣＭチャンスに割り振ることを可能とする連続ＣＭ群割振方法及びその装置を提供することを目的とする。
【課題を解決するための手段】
【００１０】
本発明によれば、複数のＣＭチャンスのうちの何れかのＣＭチャンスに連続ＣＭ群を割り振るための連続ＣＭ群割振方法において、前記連続ＣＭ群の合計時間と比較して、空き時間が同一かそれ以上であるＣＭチャンスがある場合には、それらのうちの何れかのＣＭチャンスに前記連続ＣＭ群を割り振る割振ステップを備えることを特徴とする連続ＣＭ群割振方法が提供される。
【００１１】
上記の連続ＣＭ群割振方法において、連続ＣＭ群に属するＣＭを連続ＣＭ群に属しないＣＭよりも優先してＣＭチャンスに割り振るようにしてもよい。
【００１２】
上記の連続ＣＭ群割振方法において、前記割振ステップは、連続ＣＭ群に属する複数のＣＭの合計時間を前記連続ＣＭ群の合計時間として求めるステップと、各ＣＭチャンス毎に、そのＣＭチャンスの空き時間を前記連続ＣＭ群の合計時間と比較するステップと、を備えるようにしてもよい。
【００１３】
上記の連続ＣＭ群割振方法において、割り振られることが予定されているＣＭのうちの連続ＣＭ群に属するＣＭの時間割付情報に、そのＣＭが属する連続ＣＭ群を識別するための連続ＣＭ群識別情報及びそのＣＭの連続ＣＭ群内における順序を表す連続シーケンスを付すステップと、割り振られることが予定されている全てのＣＭを前記連続ＣＭ群識別情報及び前記連続シーケンスに従って並べ替えることにより、連続ＣＭ群に属するＣＭの時間割付情報が連続ＣＭに属さないＣＭの時間割付情報よりも順位が高くなり、且つ、同一連続ＣＭ群内においては連続シーケンスに従ってＣＭの時間割付情報が順位付けられるようにするステップと、順位の高い順から前記ＣＭの時間割付情報を読み出し、同一の連続ＣＭ群識別情報が付された時間割付情報を集めるステップと、同一の連続ＣＭ群識別情報が付された時間割付情報全ての合計時間を前記連続ＣＭ群の合計時間として求めるステップと、各ＣＭチャンス毎に、そのＣＭチャンスの空き時間を前記連続ＣＭ群の合計時間と比較するステップと、を備えるようにしてもよい。
【００１４】
上記の連続ＣＭ群割振方法において、前記割振ステップでは、前記連続ＣＭ群の合計時間と比較して、空き時間が同一かそれ以上であるＣＭチャンスのうちの空き時間が最大であるＣＭチャンスに前記連続ＣＭ群を割り振るようにしてもよい。
【００１５】
上記の連続ＣＭ群割振方法において、空き時間が最大であるＣＭチャンスが複数ある場合には、それらのうちＣＭチャンス識別情報が最小であるＣＭチャンスに前記連続ＣＭ群を割り振るようにしてもよい。
【００１６】
上記の連続ＣＭ群割振方法において、前記割振ステップでは、前記連続ＣＭ群の合計時間と比較して、空き時間が同一かそれ以上であるＣＭチャンスのうちのＣＭチャンス識別情報が最小であるＣＭチャンスに前記連続ＣＭ群を割り振るようにしてもよい。
【００１７】
上記の連続ＣＭ群割振方法において、複数のＣＭチャンスのうちの何れかのＣＭチャンスに連続ＣＭ群を割り振るための連続ＣＭ群割振方法において、前記連続ＣＭ群の合計時間と比較して、空き時間が同一かそれ以上であるＣＭチャンスがない場合には、番組中最後のＣＭチャンスに前記連続ＣＭ群を割り振る割振ステップを備えるようにしてもよい。
【発明の効果】
【００１８】
本発明によれば、複数のＣＭチャンスのうちの何れかのＣＭチャンスに連続ＣＭ群を割り振るための連続ＣＭ群割振方法において、前記連続ＣＭ群の合計時間と比較して、空き時間が同一かそれ以上であるＣＭチャンスがある場合には、それらのうちの何れかのＣＭチャンスに前記連続ＣＭ群を割り振る割振ステップを備えるので、連続ＣＭ群を同一のＣＭチャンスに割り振ることができる。
【発明を実施するための最良の形態】
【００１９】
以下、図面を参照して本発明を実施するための最良の形態について詳細に説明する。
【００２０】
図１は、本発明の実施形態による連続ＣＭ群割振装置の構成を示すブロック図である。
【００２１】
図１を参照すると、連続ＣＭ群割振装置は、連続ＣＭ群設定部１０１、ソート部１０３、時間取情報格納部１０５、読出／書込部１０７、作業領域１０９、一時記憶部１１１、時間取情報比較部１１３、枠情報判断部１１５、枠情報格納部１１７、位置決定部１１９、合計秒数更新部１２１、放送位置情報書込部１２３及び作業領域クリア部１２５を備える。
【００２２】
時間取情報格納部１０５は、図３に示すような時間取情報を格納する。図３に示すように、時間取情報は、枠ＩＤ、ＣＭ識別情報、ＣＭ秒数、連続ＣＭ群情報及び放送位置情報を備える。連続ＣＭ群情報は、連続ＣＭ群識別情報及び連続シーケンス（ＳＥＱ）を備える。放送位置情報は、ＣＭチャンス識別情報及び送出シーケンス（ＳＥＱ）を備える。各ＣＭの時間取情報はＣＭ識別情報で一意に識別される。
【００２３】
連続ＣＭ群設定部１０１は、時間取情報のうちの連続ＣＭ群に属するＣＭについて、連続ＣＭ群情報を追加する。
【００２４】
ソート部１０３は、時間取情報を連続ＣＭ群識別情報及び連続シーケンス（ＳＥＱ）に従って並び替える。
【００２５】
読出／書込部１０７は、時間取情報格納部１０５から連続時間取情報を１つずつ読み出し、それを一旦、一時記憶部１１１に格納した後、時間取情報比較部１１３での比較結果に従って、作業領域１０９に追加書き込みする。
【００２６】
作業領域１０９は、同一の連続ＣＭ群識別情報を有するＣＭの時間取情報を格納する。
【００２７】
一時記憶部１１１は、時間取情報格納部１０５から読み出された１つのＣＭについての時間取情報を一時的に記憶する。
【００２８】
時間取情報比較部１１３は、一時記憶部１１１に新たに格納された時間取情報の連続ＣＭ群識別情報が有効であり、且つ、作業領域１０９に格納されている時間取情報の連続ＣＭ群識別情報と同一であるかどうかを判断する。
【００２９】
枠情報格納部１１７は、図４に示すような枠情報を格納する。図４を参照すると、枠情報は、枠ＩＤ、ＣＭチャンス識別情報、ＣＭチャンス秒数及びＣＭ合計秒数を備える。
【００３０】
枠情報判断部１１５は、枠情報格納部１１７に格納されている枠情報を読み出し、作業領域１０９に格納されている全ての時間取情報のＣＭ合計時間分の空き時間があるＣＭチャンスがあるか否かを判断する。
【００３１】
位置決定部１１９は、作業領域１０９に時間取情報が格納されているＣＭの配置先を決定する。
【００３２】
合計秒数更新部１２１は、位置決定部１１９がＣＭの配置先としたＣＭチャンスのＣＭ合計秒数に配置されることとなったＣＭの合計時間を加算する。
【００３３】
放送位置情報書込部１２３は、位置決定部１１９が配置先としたＣＭチャンスの識別情報及び送出シーケンスを作業領域１０９に格納されている時間取情報と同一の時間取情報（時間取情報格納部１０５に格納されているもの）に書き込む。
【００３４】
作業領域クリア部１２５は、作業領域１０９をクリアする。
【００３５】
次に、図１乃至図４を参照して、連続ＣＭ群割振装置により行われる連続ＣＭ群割り振り方法について説明する。
【００３６】
連続ＣＭ群設定部１０１は、連続ＣＭ群に属するＣＭの連続ＣＭ群識別情報に連続ＣＭ群の１件目のＣＭ識別情報を格納し、連続シーケンス（ＳＥＱ）に連続ＣＭ群内の放送順序を格納する（ステップＳ２０１）。通常のＣＭ場合、連続ＣＭ群識別情報及び連続シーケンスには何も設定せずに、Ｎｕｌｌのままにしておく。
【００３７】
次に、ソート部１０３は、時間取情報格納部１０５に格納されている時間取情報を連続ＣＭ群識別情報の降順かつ連続シーケンスの昇順に並び替える（ステップＳ２０３）。並び替えの第１次の順を連続ＣＭ群識別情報の降順とするのは、連続ＣＭ群識別情報が付されているＣＭを先頭側に置き、連続ＣＭ群識別情報が付されていないＣＭを末尾側に置く必要があるところ、連続ＣＭ群識別情報が付されずにＮｕｌｌとなっているＣＭのそのＮｕｌｌの文字コードが０ｘ００００であり、これは、連続ＣＭ群識別情報の文字コードよりも小さいからである。従って、連続ＣＭ群識別情報のＮｕｌｌとして例えば０ｘｆｆｆｆを利用すれば、並び替えの第１次の順を連続ＣＭ群識別情報の昇順としてもよい。連続ＣＭ群識別情報が付されているＣＭを先頭側に置き、連続ＣＭ群識別情報が付されていないＣＭを末尾側に置く必要があるのは、連続ＣＭ群を優先的に割り振ることとしているからである。
【００３８】
次に、読出／書込部１０７は、１件目の時間取情報を読み出す（ステップＳ２０５）。
【００３９】
次に、読出／書込部１０７は、時間取情報を読み出せたか否かを判断し（ステップＳ２０７）、読み出せなかった場合には（ステップＳ２０７でＮＯ）、処理を終了する。
【００４０】
読み出せた場合には（ステップＳ２０７でＹＥＳ）、時間取情報を作業領域１０９に追加的に書き込む（ステップＳ２０９）。
【００４１】
次に、読出／書込部１０７は、時間取情報格納部１０５から次の時間取情報を読み出す（ステップＳ２１１）。
【００４２】
次に、読出／書込部１０７は、時間取情報を読み出せたか否かを判断し（ステップＳ２１３）、読み出せなかった場合には（ステップＳ２１３でＮＯ）、処理を終了する。
【００４３】
読み出せた場合には（ステップＳ２１３でＹＥＳ）、読み出した時間取情報を一時記憶部１１１に上書きする（Ｓ２１５）。
【００４４】
次に、時間取情報比較部１１３は、一時記憶部１１１に上書きした時間取情報の連続ＣＭ群識別情報に値が設定されており（ＣＭ識別情報がＮｕｌｌではなく）、そのＣＭ識別情報の値が作業領域１０９に既に格納されている時間取情報の連続ＣＭ群識別情報の値と同じであるかを判断する（ステップＳ２１７）。
【００４５】
ステップＳ２１７の判断結果が肯定的である場合には、ステップＳ２０９に戻る。ステップＳ２０９に戻ったならば、読出／書込部１０７は、一時記憶部１１１に格納されている時間取情報を読み出し、それを作業領域１０９に追加書込みする。
【００４６】
こうして、ステップＳ２０９〜Ｓ２１７を繰り返すことにより、連続ＣＭ群識別情報が同一である全ての時間取情報が作業領域１０９に格納されることとなる。
【００４７】
ステップＳ２１７での判断結果が否定的である場合には、作業領域１０９に格納されている時間取情報に放送位置情報を追加するための処理に入る。
【００４８】
まず、枠情報判断部１１５は、枠情報格納部１１７に格納されている枠情報を読み出し、作業領域１０９に格納されている全ての時間取情報のＣＭ合計時間分の空き時間があるＣＭチャンスがあるか否かを判断する（ステップＳ２１９）。具体的には、作業領域１０９に格納されている時間取情報のＣＭ秒数を全て加算し、その結果得られる和をＣＭ合計時間とし、枠情報格納部１１７に格納されている枠情報に含まれている全てのＣＭチャンスについて、ＣＭチャンス秒数（図４参照）からＣＭ合計秒数（図４参照、すでに割り振られているＣＭの合計秒数を表す。）を差し引いて得られる空き時間を求め、その空き時間がＣＭ合計時間以上であるか否かを判断する。
【００４９】
ステップＳ２１９の判断結果が否定的である場合には、位置決定部１１９は、番組中の最後のＣＭチャンスに放送位置を決定する（ステップＳ２２１）。この結果、最後のＣＭチャンスには、ＣＭチャンス秒数以上の合計時間のＣＭが割り付けられることとなるが、後に、ユーザが最後のＣＭチャンスに割り付けられたＣＭを他のＣＭチャンスに割り付け直すことにより、この問題は解消される。
【００５０】
ステップＳ２１９の判断結果が肯定的である場合には、位置決定部１１９は、該当するＣＭチャンスが１つであるか否かを判断する（ステップＳ２２３）。
【００５１】
１つだけである場合には（ステップＳ２２３でＹＥＳ）、該当するＣＭチャンスに放送位置を決定する（ステップＳ２２５）。
【００５２】
２つ以上ある場合には（ステップＳ２２３でＮＯ）、該当するＣＭチャンスのうち空き秒が最大のＣＭチャンスに放送位置を決定し、空き秒が最大のＣＭチャンスが複数ある場合には、そのうちのＣＭチャンス識別情報が最小であるＣＭチャンスに放送位置を決定する（ステップＳ２２７）。或いは、２つ以上ある場合には（ステップＳ２２３でＮＯ）、空き秒を見ないで、該当するＣＭチャンスのうちＣＭチャンス識別情報が最小であるＣＭチャンスに放送位置を決定しても良い。ＣＭチャンス識別情報は、例えば、時系列に従って昇順又は降順に設定されても良いし、ユーザによって設定された優先度に従って設定されても良いし、時系列に従って見た場合ランダムであっても良い。
【００５３】
ステップＳ２２１、Ｓ２２５又はＳ２２７の次に、合計秒数更新部１２１は、ＣＭが配置されることが決定されたＣＭチャンスのＣＭ合計秒数に配置されるＣＭの秒数を加算し（ステップＳ２２９）、放送位置情報書込部１２３は、決定されたＣＭチャンスの識別情報と送出シーケンスを放送位置情報として時間取情報に書き込む（ステップＳ２３１）。ここで、送出シーケンスは、同一のＣＭチャンス内におけるＣＭの順序を表す。
【００５４】
次に、作業領域クリア部１２５は、作業領域１０９をクリアし（ステップＳ２３３）、処理は、ステップＳ２０９に戻る。
【００５５】
例えば、図３（ａ）の割り振り前時間取情報を図４（ａ）の割り振り前枠情報に対して割り振るとする。図３（ａ）の割り振り前時間取情報はＣＭ識別情報Ａ、Ｂ、Ｃ、Ｄ、Ｅ、Ｆ、Ｇの順に並んでいる。ＣＭ識別情報Ａ、Ｂ、Ｃのデータに対して同一の連続ＣＭ群識別情報が設定されており、ＣＭ識別情報Ｄのデータに対しては連続ＣＭ群識別情報が設定されていないため、ステップＳ２１１でＣＭ識別情報Ｄを読み込んだ後、ステップＳ２１３のデータ有無の判定からステップＳ２１５、Ｓ２１７へ分岐し、ステップＳ２１７の連続ＣＭ群識別情報の内容設定有無の判定でステップ２１９へ分岐する。
【００５６】
ステップＳ２１９の時点で作業領域１０９には、ＣＭ識別情報Ａ、Ｂ、Ｃのデータが格納されている。ＣＭ識別情報Ａ、Ｂ、ＣのＣＭ秒数合計は６０秒なので、ステップＳ２１９にて６０秒以上の空き秒があるかどうかを図４（ａ）の割り振り前枠情報を順次取り出し照合すると、すべてのＣＭチャンスが該当する。該当する枠が複数ある場合は（ステップＳ２２３でＮＯ）、ステップＳ２２７により空き秒が最大であるＣＭチャンスのうち、ＣＭチャンス識別情報が最小のＣＭチャンスに放送位置を決定するので、この例ではＣＭ識別情報Ａ、Ｂ、Ｃの時間取は空き秒が最大であるＣＭ０２のＣＭチャンスに位置決定される。
【００５７】
決定した位置情報は、図３（ｂ）の割り振り後時間取情報のように、時間取情報の放送位置情報を更新することにより保持し、実際の放送はその放送位置情報の通り行われる。
【００５８】
具体的には、時間取情報のＣＭチャンス識別情報には位置決定されたＣＭチャンスの識別情報をセットし、送出シーケンスには、既にそのＣＭチャンスに位置決定されている時間取情報で、かつ送出シーケンスが最大のデータを取得し、その送出シーケンス＋１の値から連番でセットしていく。この例では、ＣＭ０２に割り振られている時間取がこの時点では存在しないため、送出シーケンスは１から順にセットされる。
【００５９】
同時に図４（ｂ）の割り振り後枠情報のように、枠情報のＣＭ秒数に作業領域のＣＭ秒数を加算する。この例では、ＣＭ０２のＣＭ秒数はデータ取得した時点では０秒なので０秒＋６０秒＝６０秒となり、ＣＭ秒数を６０秒に更新する。
【００６０】
次にステップＳ２３３で作業領域１０９の内容をクリア後、ステップＳ２０９に戻り、先のステップＳ２１１で取得したＣＭ識別情報Ｄのデータを作業領域に格納する。
【００６１】
このように繰り返しを行い、すべての時間取情報を各ＣＭチャンスに割り振った結果が図３（ｂ）の割り振り後時間取情報および図４（ｂ）の割り振り後枠情報である。
【００６２】
なお、図２に示した割振方法は、ハードウェアによって実現することも可能であるが、コンピュータにこの方法を行わせるためのプログラムをコンピュータが記録媒体から読み込んで実行することによっても実現することが可能である。
【産業上の利用可能性】
【００６３】
本発明によれば、民間放送局の放送業務におけるＣＭ自動割り振りを対象にしているが、目視によるＣＭ位置の移動の際にも本発明を適用することができる。
【図面の簡単な説明】
【００６４】
【図１】本発明の実施形態による連続ＣＭ群割振装置の構成を示すブロック図である。
【図２】本発明の実施形態による連続ＣＭ群割振方法を示すフローチャートである。
【図３】図１に示す時間取情報格納部に格納される時間取情報のデータ構造を示す図である。
【図４】図１に示す枠情報格納部に格納される枠情報のデータ構造を示す図である。
【符号の説明】
【００６５】
１０１  連続ＣＭ群設定部
１０３  ソート部
１０５  時間取情報格納部
１０７  読出／書込部
１０９  作業領域
１１１  一時記憶部
１１３  時間取情報比較部
１１５  枠情報判断部
１１７  枠情報格納部
１１９  位置決定部
１２１  合計秒数更新部
１２３  放送位置情報書込部
１２５  作業領域クリア部
【図１】
2006279219.tif 000003
【図２】
2006279219.tif 000004
【図３】
2006279219.tif 000005
【図４】
2006279219.tif 000006